(57)【要約】【課題】作業員が成形条件設定項目の設定値の変更を行なうときに設定器にて適切な許容範囲を表示し、誤入力による射出成形機自体の破損、金型や周辺装置などの破損を生じさせない設定値の変更操作が、成形条件設定値入力装置にて簡単に行なえるようにする。【解決手段】成形条件の設定値について金型や成形材料などに基づく許容範囲で制限し、その許容範囲を、成形条件設定値入力装置１における成形条件設定項目に対応した設定器７の許容範囲表示部１０に表示するようにした。【選択図】図３
2020124829.tif 000002
【特許請求の範囲】
【請求項１】
射出成形機を制御する成形条件設定項目の成形条件設定値を入力する装置であって、
タッチパネルからなる表示画面（５）中に、前記成形条件設定項目に対応した成形条件の設定値を表示する成形条件設定値表示部（６）と、前記成形条件設定項目に対応した成形条件の設定値が入力可能とされている設定値入力部（１１）と前記成形条件設定項目における成形条件の許容範囲を表示する許容範囲表示部（１０）とを有する設定器（７）とを配置している表示手段（２）と、
前記設定器（７）の設定値入力部（１１）に入力された成形条件の設定値を記憶する成形条件設定値記憶部（１２）と、射出成形機における金型の型管理情報や射出成形の加熱筒に投入する成形材料の材料管理情報などからなる成形機外情報を記憶する成形機外情報記憶部（１３）と、前記成形機外情報に基づいて予め設定されている前記成形条件設定項目における成形条件の設定許容範囲を記憶可能とする設定許容範囲記憶部（１４）とを有する記憶手段（３）と、
前記表示手段（２）の成形条件設定値表示部（６）がタッチされて、前記記憶手段（３）の設定許容範囲記憶部（１４）での前記成形機外情報に基づいて設定されている成形条件設定項目における前記成形条件の設定許容範囲を読み出したときに、タッチされた成形条件設定値表示部（６）の成形条件設定項目に対応する設定値入力部（１１）と成形条件の前記設定許容範囲を表示する許容範囲表示部（１０）とを有する設定器（７）の表示を、前記表示手段（２）に行なわせるとともに、読み出した前記設定許容範囲に、設定器（７）の設定値入力部（１１）に入力された成形条件の設定値が入っているか否かを判定して、入力された前記成形条件の設定値が前記設定許容範囲に入らないときに、設定器（７）に入力された成形条件の設定値の前記記憶手段（３）の成形条件設定値記憶部（１２）への記憶動作、または設定器（７）に前記成形条件の設定値として入力された入力値を記憶する記憶動作を、記憶手段（３）に対して中止可能に制御する制御手段（４）とを備え、
前記設定器（７）の設定値入力部（１１）に入力された成形条件の設定値が前記設定許容範囲に入らないときに、設定器（７）に入力された成形条件の設定値が設定許容範囲外であることの警告動作を前記制御手段（４）の制御の下で行なう警告手段（１８）を備えていることを特徴とする成形条件設定値入力装置。
【請求項２】
上記記憶手段（３）の成形機外情報記憶部（１３）における成形機外情報は複数記憶されており、上記制御手段（４）は、前記成形機外情報記憶部（１３）における成形機外情報が特定されたとき、前記記憶手段（３）に、前記特定された成形機外情報に基づいて予め設定されている成形条件設定項目における成形条件の設定許容範囲を上記設定許容範囲記憶部（１４）に記憶させるものである請求項１に記載の成形条件設定値入力装置。
【請求項３】
上記設定許容範囲を限定するときに、限定する範囲の設定が、前記設定許容範囲内での現設定値に対する相対値で設定する相対値設定と、上記成形機外情報に基づいた成形条件の設定許容範囲内で絶対値で設定する絶対値設定との選択が可能とされている請求項１または２に記載の成形条件設定値入力装置。
【請求項４】
上記制御手段（４）は、上記相対値設定が選択されていてこの相対値設定による設定許容範囲内で設定器（７）の設定値入力部（１１）に入力された設定値が、上記絶対値設定をした場合での設定許容範囲を外れたときに、上記警告手段（１８）の警告動作を非動作にし、設定器（７）に入力された前記設定値の上記記憶手段（３）の成形条件設定値記憶部（１２）への記憶動作、または設定器（７）に前記設定値として入力された入力値を記憶する記憶動作を、記憶手段（３）に行なわせるものである請求項３に記載の成形条件設定値入力装置。
【請求項５】
上記設定許容範囲の入力操作時に入力操作者の本人認証を行なって設定許容範囲を入力する入力操作者を限定する操作者限定機能を備えている請求項１から４の何れか一項に記載の成形条件設定値入力装置。
【発明の詳細な説明】
【技術分野】
【０００１】
本発明は、射出成形機の成形条件設定値入力装置、特に射出成形機を制御する成形条件の設定値を入力するときに設定値許容範囲が表示されるようにした成形条件設定値入力装置に関するものである。
【背景技術】
【０００２】
従来、射出成形機を運転する際には、この射出成形機を制御するための各種の成形条件（射出圧力、射出速度など）を作業員が成形条件設定値入力装置に入力している。前記成形条件設定値入力装置は、例えばタッチパネルからなる表示手段とこの表示手段に入力された情報などを記憶する記憶手段とこの記憶手段に記憶された成形条件の設定値などを成形機本体の制御器側に渡すようにした制御手段とからなるものである。そして、成形する成形品が変わるなどの場合にも、作業員が前記各種の成形条件を前記成形条件設定値入力装置を利用して再設定することが行なわれる。
【０００３】
上述したように成形品に応じて射出成形機を制御する成形条件の設定値を変更する場合のように、成形条件設定値入力装置を通じて設定する成形条件の設定値自体に変更が許容できる範囲を定めて、その許容範囲も前記成形条件設定値入力装置で入力できるようにした仕組みが、例えば特許文献１に示されている。
【０００４】
この特許文献１では、射出成形機の制御に係る成形条件の設定値を定めるとともに、射出成形機に取り付けた各種センサからの実測値をモニタし、モニタ項目ごとに定められた上限値と下限値との範囲に実測値が収まっていれば射出成形機で成形された成形品が良品と判断するようにしており、その監視項目ごとの上限値と下限値とを、作業員が成形条件設定値入力装置に入力する点が示されている。
【０００５】
さらに特許文献１においてはつぎの工夫が示されている。具体的には、モニタ項目の許容範囲を定めるに際して、上限値と下限値とを絶対値で入力して良否判定のための許容範囲を設定していると、射出成形機の稼働中に成形条件の設定値を変更した場合、良否判定のための許容範囲が適正値から外れてしまい、その都度モニタ項目の上限値と下限値とを変更する再設定作業が必要となる。そこで、特許文献１では、モニタ項目ごとの許容範囲の値を、基準値に対する±範囲値で設定可能となるようにした工夫が示されている。
【０００６】
また、上記成形条件設定値入力装置を用いた工夫が特許文献２にも示されていて、この工夫は、成形条件設定値入力装置の成形条件設定項目で表示されている設定値を変更するときに、成形条件設定項目について記憶されている設定値の設定値許容範囲を成形条件設定値入力装置の画面に表示し、変更設定値が設定値許容範囲にあるときのみに、成形条件設定項目の部分に変更設定値を表示できるようにしたものであった。
【０００７】
下記の先行技術文献で挙げる特許文献３はダイカストマシンに係る鋳造条件設定装置であるが、金型データや製品データなどをキーボードなどにて入力するとともに、入力されたデータに基づいて算出される鋳造条件値を画面表示する画面表示部があり、その画面表示部で画面構成される鋳造条件設定画面を利用して鋳造条件設定値が変更可能とされている。
【０００８】
そして、この特許文献３では、前記データに基づいて演算処理して記録されている鋳造条件設定値と変更入力した鋳造条件設定値とを比較し、前記記録されている鋳造条件設定値に対して、前記変更された鋳造条件設定値が所定値以上に異なっているときに、画面上でアラーム出力を行なうようにしている点が示されている。
【０００９】
また、下記の先行技術文献で挙げる特許文献４は設定値入力方法に関するもので、射出成形機などのマシンの自動運転を行なうための多数の設定項目を表示装置の画面上で構成し、設定項目の指定と数値入力などを表示装置にて行えるようにしている点が示されている。そして、計算式に基づいて算出しなければならない設定数値の入力については、画面上で電卓機能画像が表示されるようにしており、その電卓機能画像を利用して計算して得られる計算結果値を設定項目の設定値として定めるときに、前記計算結果値が設定項目に定められた許容範囲外にあるときに、設定登録を中止してアラームを発生されるようにした工夫が示されている。
【先行技術文献】
【特許文献】
【００１０】
【特許文献１】特開平０６−１２２１４０号公報
【特許文献２】特許第２５７８２８０号公報
【特許文献３】特許第３３８２８１４号公報
【特許文献４】特許第２７９７７６３号公報
【発明の開示】
【発明が解決しようとする課題】
【００１１】
上述した特許文献２において示されているように、成形条件設定値入力装置の成形条件設定項目で表示されている設定値を変更する際、成形条件設定値入力装置の画面に、成形条件設定項目について記憶されている設定値の設定値許容範囲を表示することは、この成形条件設定値入力装置を用いて入力を行なう作業員の作業が簡単になるという利点がある。
【００１２】
図５は上記成形条件設定値入力装置において成形条件設定項目と設定値の設定値許容範囲とを表示している一例を示している。なお、図５と図６とは従来例の説明と本発明の実施の形態の説明とに用いる説明図である。図５で示す成形条件設定値入力装置１はタッチパネルタイプの表示装置を採用したものとしており、この成形条件設定値入力装置１の表示画面５中には、複数の成形条件設定値表示部が配置されており、例えばその内の一つとして、成形条件設定項目を型開停止位置とする成形条件設定値表示部６が表示されている。そして前記成形条件設定値表示部６では、成形条件設定項目の下に設定値を表示する表示部８が配置されていて、その表示部８には運転中の射出成形機についての設定値が表示されている状態である。
【００１３】
同じく表示画面５中にして、テンキーを有して数値入力の機能を有した設定器７も表示されている。この設定器７は、上記成形条件設定値表示部６を例示して挙げれば、この成形条件設定値表示部６の成形条件設定項目の項目名の部分または表示部８をタッチ操作することで、表示画面５に表示構成される。そして、前記設定器７ではタッチすることで指定した成形条件設定項目の項目名を表示する項目名表示部９と、テンキーのタッチ操作で設定値を入力する設定値入力部１１を有しており、テンキーをタッチ操作することで設定値入力部１１に数値が入り、エンターキーを押すことで、設定値入力部１１に入力された数値が設定値として、成形条件設定値表示部６の表示部８に表示されるとともに、前記成形条件設定項目に対応する設定値が設定され、運転中の射出成形機の成形条件が変わるようにしている。
【００１４】
さらに図示されているように、設定器７には設定値の設定値許容範囲を表示する許容範囲表示部１０が設けられている。射出成形機では成形条件設定項目について成形機仕様での使用範囲があり、その使用範囲を前記許容範囲表示部１０に示し、この範囲を成形条件設定項目についての設定可能な設定範囲として表示されている。
【００１５】
しかしながら、従来の成形条件設定値入力装置において、設定器の許容範囲表示部で用いられる上記射出成形機仕様での使用範囲は、射出成形機の機種、形締め力、射出タイプ、スクリューなどの射出成形機本体の機械仕様に基づく範囲であり、この範囲を設定可能な設定範囲としているが、機械仕様に基づく前記範囲は射出成形機自体や金型、そして成形品取り出し装置などの周辺装置を壊さない範囲といえるものではなかった。
【００１６】
そして、作業員が成形条件の変更を行なうときは、上記設定器を用いながら成形条件設定項目の現在の設定値を変更する操作をすることになるが、僅かに変更する再設定の操作を行なうつもりが、誤って大きな変更値を入力してしまうと、射出成形機自体や金型、そして周辺装置などを破損させる可能性があった。
【００１７】
上述した数値の入力ミスを防止することを目的として、運転中の射出成形機での成形条件設定項目における現在値である設定値を基準値とし、その現在値から相対±範囲を設定可能な範囲に限定して、大きな設定値の変更できないようにする対策を施すようにもなってきている。
【００１８】
図６は許容範囲表示部１０に、現在値から相対±範囲を許容範囲として表示している設定器７の例を示している。この図示した例では、現在値（基準値）が１８０．０ｍｍであり、相対±範囲が±５．０ｍｍであり、許容範囲表示部１０に１７５．０〜１８５．０ｍｍとする数値表示が行なわれているものである。
【００１９】
しかしながら、従来の成形条件設定値入力装置に対し、現在値から相対±範囲を許容範囲として大きな設定値の変更をできないようにする上記対策についてもつぎの不具合が生じる。
【００２０】
まず、射出成形機にて成形品を成形するに際し、成形品ごとに変更可能な範囲を狭くして成形を行なうようにする成形品もあれば、成形品の成形について設定値の変更可能な範囲を広くとることが許される成形品も存在するのが現状である。そして、成形条件設定項目の設定値の許容範囲について設定可能な範囲（相対±範囲）を狭くした射出成形機により、設定値の変更可能な範囲を広くとることが許される成形品を成形しているときに、その成形条件を変えようとすると、成形条件設定項目が多岐にわたって変更手順が増えるなどしてしまい、成形条件の変更に対応することが困難になる。
【００２１】
他方、成形条件設定項目の設定値の許容範囲について設定可能な範囲（相対±範囲）を広くした射出成形機では、上述した許容範囲が機械仕様に基づく範囲とされている場合と同様に、射出成形機の運転中に誤って大きな変更値が入力設定されてしまうことを防ぐことができず、射出成形機や金型、成形品取り出し装置に代表される周辺装置などを破損させてしまう可能性が高いという不具合がある。
【００２２】
また、射出成形機に取り付ける金型（成形型）は、型の動作切り換え位置やエジェクタ（突き出し機構）の動作切り換え位置に影響し、成形材料は、射出成形機の加熱筒の温度に影響することが知られている。
【００２３】
しかしながら、成形条件設定項目の設定値についての設定可能な範囲を現在値の相対±範囲によって限定した射出成形機では、上記金型（成形型）や成形材料に基づいて算出される絶対値で、成形条件設定項目の設定値の許容範囲を限定したい場合に対応できないという問題もある。
【００２４】
そこで、本発明は上記事情に鑑み、射出成形機の型やエジェクタの動作切り換え位置や速度、成形材料の射出圧力、加熱筒の温度などの成形条件設定項目における設定値を変更するときに、上記設定器に表示する許容範囲を、射出成形機の機械仕様に基づく表示に加えて、金型や成形材料などの成形機外の条件に基づく許容範囲を表示するようにすることを課題とし、作業員が成形条件設定項目の設定値の変更を行なうときに設定器にて適切な許容範囲を表示して、誤入力による射出成形機自体の破損、そして、金型や周辺装置などの破損を生じさせない設定値の変更操作が、成形条件設定値入力装置にて簡単に行なえるようにすることを目的とする。
【課題を解決するための手段】
【００２５】
（請求項１の発明）
本発明は上記課題を考慮してなされたもので、射出成形機を制御する成形条件設定項目の成形条件設定値を入力する装置であって、
タッチパネルからなる表示画面（５）中に、前記成形条件設定項目に対応した成形条件の設定値を表示する成形条件設定値表示部（６）と、前記成形条件設定項目に対応した成形条件の設定値が入力可能とされている設定値入力部（１１）と前記成形条件設定項目における成形条件の許容範囲を表示する許容範囲表示部（１０）とを有する設定器（７）とを配置している表示手段（２）と、
前記設定器（７）の設定値入力部（１１）に入力された成形条件の設定値を記憶する成形条件設定値記憶部（１２）と、射出成形機における金型の型管理情報や射出成形の加熱筒に投入する成形材料の材料管理情報などからなる成形機外情報を記憶する成形機外情報記憶部（１３）と、前記成形機外情報に基づいて予め設定されている前記成形条件設定項目における成形条件の設定許容範囲を記憶可能とする設定許容範囲記憶部（１４）とを有する記憶手段（３）と、
前記表示手段（２）の成形条件設定値表示部（６）がタッチされて、前記記憶手段（３）の設定許容範囲記憶部（１４）での前記成形機外情報に基づいて設定されている成形条件設定項目における前記成形条件の設定許容範囲を読み出したときに、タッチされた成形条件設定値表示部（６）の成形条件設定項目に対応する設定値入力部（１１）と成形条件の前記設定許容範囲を表示する許容範囲表示部（１０）とを有する設定器（７）の表示を、前記表示手段（２）に行なわせるとともに、読み出した前記設定許容範囲に、設定器（７）の設定値入力部（１１）に入力された成形条件の設定値が入っているか否かを判定して、入力された前記成形条件の設定値が前記設定許容範囲に入らないときに、設定器（７）に入力された成形条件の設定値の前記記憶手段（３）の成形条件設定値記憶部（１２）への記憶動作、または設定器（７）に前記成形条件の設定値として入力された入力値を記憶する記憶動作を、記憶手段（３）に対して中止可能に制御する制御手段（４）とを備え、
前記設定器（７）の設定値入力部（１１）に入力された成形条件の設定値が前記設定許容範囲に入らないときに、設定器（７）に入力された成形条件の設定値が設定許容範囲外であることの警告動作を前記制御手段（４）の制御の下で行なう警告手段（１８）を備えていることを特徴とする成形条件設定値入力装置を提供して、上記課題を解消するものである。
【００２６】
（請求項２の発明）
そして、本発明において、上記記憶手段（３）の成形機外情報記憶部（１３）における成形機外情報は複数記憶されており、上記制御手段（４）は、前記成形機外情報記憶部（１３）における成形機外情報が特定されたとき、前記記憶手段（３）に、前記特定された成形機外情報に基づいて予め設定されている成形条件設定項目における成形条件の設定許容範囲を上記設定許容範囲記憶部（１４）に記憶させるものであることが良好である。
【００２７】
（請求項３の発明）
また、本発明において、上記設定許容範囲を限定するときに、限定する範囲の設定が、前記設定許容範囲内での現設定値に対する相対値で設定する相対値設定と、上記成形機外情報に基づいた成形条件の設定許容範囲内で絶対値で設定する絶対値設定との選択が可能とされていることが良好である。
【００２８】
（請求項４の発明）
さらに、本発明において、上記制御手段（４）は、上記相対値設定が選択されていてこの相対値設定による設定許容範囲内で設定器（７）の設定値入力部（１１）に入力された設定値が、上記絶対値設定をした場合での設定許容範囲を外れたときに、上記警告手段（１８）の警告動作を非動作にし、設定器（７）に入力された前記設定値の上記記憶手段（３）の成形条件設定値記憶部（１２）への記憶動作、または設定器（７）に前記設定値として入力された入力値を記憶する記憶動作を、記憶手段（３）に行なわせるものであることが良好である。
【００２９】
（請求項５の発明）
そして、本発明において、上記設定許容範囲の入力操作時に入力操作者の本人認証を行なって設定許容範囲を入力する入力操作者を限定する操作者限定機能を備えていることが良好である。
【発明の効果】
【００３０】
従来では、成形条件設定項目ごとの成形条件設定値については、射出成形機の機械仕様からの許容範囲で制限することしかできなかったが、本発明によれば、前記成形条件の設定値について金型や成形材料などに基づく許容範囲で制限することが可能となり、射出成形機や金型、周辺装置の破損を防止することができるという効果を奏する。
【図面の簡単な説明】
【００３１】
【図１】本発明の成形条件設定値入力装置を配した射出成形機の例を示す説明図である。
【図２】本発明の成形条件設定値入力装置の構成を概略的に示す説明図である。
【図３】表示手段での成形条件設定値表示部と設定器とを示し設定器の許容範囲表示部に設定範囲限定用設定器を用いて入力された数値に基づく許容範囲が表示されている状態を示す説明図である。
【図４】設定範囲限定用設定器の一例を示す説明図である。
【図５】成形条件設定項目を型開停止位置とする成形条件設定値表示部と設定器とを示す説明図である。
【図６】許容範囲が限定された表示が行なわれる許容範囲表示部を有する設定器を示す説明図である。
【図７】範囲限定に際して絶対値設定と相対値設定との他の例を示すもので、（ａ）は加熱筒の温度に関する成形条件設定値表示部を示す説明図、（ｂ）は加熱筒の温度の許容範囲限定を相対値設定とした場合の設定器を示す説明図、（ｃ）は加熱筒の温度の許容範囲限定を絶対値設定とした場合の設定器を示す説明図である。
【発明を実施するための形態】
【００３２】
つぎに本発明を図１から図７に示す実施の形態に基づいて詳細に説明する。図１は射出成形機Ａを示していて、この射出成形機Ａは機台Ｂの上に射出部Ｃと型締部Ｄとを備えてなるものである。そして、射出部Ｃにあっては、モーターＥによって軸回転する図示しないスクリューを内部に配してホッパーＦから送り込まれる成形材料を溶融する加熱筒Ｇを有している。また型締部Ｄでは、加熱筒Ｇ側から溶融された成形材料が送り込まれ、カバーＨで覆われていて型閉、型締、型開とを行なう図示しない移動型と固定型とによって成形品の成形を行なうようにしている。そして、前記射出成形機Ａの所要位置に成形条件設定値入力装置１が配置されている。
【００３３】
（成形条件設定値入力装置）
上記成形条件設定値入力装置１は上記射出部Ｃと型締部Ｄとの動作を制御するための成形条件の入力を受ける装置である。そして、図２に、前記成形条件設定値入力装置１の構成が概略的に示されていて、成形条件設定値入力装置１は表示手段２と記憶手段３と制御手段４と警告手段１８とを備えてなるものである。
【００３４】
（表示手段）
図３に示されているように、上記表示手段２はタッチパネル形式の表示装置からなるものであって、この表示手段２にあっては、表示画面５において射出成形機Ａの成形条件設定値表示部６と設定器７とが表示されるように設けられている。特に図３の表示画面５では型開停止位置に係る成形条件設定項目が表示されているものであって、その成形条件設定項目の項目名として型開停止位置と記載されている。
【００３５】
また、上記成形条件設定値表示部６では型開停止位置とした上記記載の下部に、現在の射出成形機Ａでの成形条件項目（図示の例の場合、型開停止位置）における設定値を表示する表示部８が設けられている。
【００３６】
また、上記成形条件設定値表示部６と同一の表示画面５上で表示されている設定器７にあっては、項目名表示部９と、成形条件設定項目における成形条件の許容範囲を表示する許容範囲表示部１０と、成形条件設定項目に対応した成形条件設定値が入力可能とされている設定値入力部１１とを備えており、上述した従来の場合の設定器７と同様にテンキー操作によって入力した数値が前記設定値入力部１１に表示され、設定値入力部１１に示された数値がエンターキー操作によって、変更しようとする成形条件設定値として定められるようにしている。
【００３７】
（記憶手段）
成形条件設定値入力装置１における上記記憶手段３にあっては、図２に示すように成形条件設定値記憶部１２と成形機外情報記憶部１３と設定許容範囲記憶部１４とを有するものである。
【００３８】
（成形条件設定値記憶部）
この記憶手段３における上記成形条件設定値記憶部１２は、表示画面５上で上記成形条件設定値表示部６とともに表示されているときの設定器７において、設定値入力部１１に入力されて変更しようとする成形条件設定値を記憶する部分である。
【００３９】
（成形機外情報記憶部）
また、成形機外情報記憶部１３は、射出成形機に取り付けることのできる金型に関連して、この金型を射出成形機に取り付けた場合に、動作切り換え位置などを考慮しながら射出成形機側の動作を定める成形条件や、射出成形機の加熱筒に投入する成形材料に関連して、加熱筒の温度を定める成形条件などのように、射出成形機の機械仕様以外の仕様に基づく成形条件を成形機外情報として記憶する部分である。
【００４０】
（設定許容範囲記憶部）
さらに、後述の制御手段４によって上記成形機外情報に基づいて成形条件設定項目における成形条件設定値の許容範囲が予め設定されるようにしており、この予め設定された許容範囲を設定許容範囲として、記憶手段３における上記設定許容範囲記憶部１４が記憶することができるように設けられている。
【００４１】
（制御手段）
上記制御手段４は表示手段２と記憶手段３と警告手段１８との動作を制御するものである。そして、この制御手段４にあっては、作業員（入力操作者）が上記表示画面５において表示手段２の成形条件設定項目の成形条件設定値表示部６にタッチしたときに、記憶手段３での設定許容範囲記憶部１４における前記タッチされた成形条件設定項目に係る設定許容範囲を読み出すように設けられている。
【００４２】
さらに、成形条件設定項目の成形条件設定値表示部６がタッチされることによって上記設定器７がつぎの状態で表示されるように表示手段２を表示動作させるものであり、その設定器７が、タッチされた成形条件設定値表示部６の成形条件設定項目に対応する設定値入力部１１と、制御手段４が記憶手段３から読み出した成形条件の上記設定許容範囲を表示する許容範囲表示部１０とを有する画面構成となるように設けられている。
【００４３】
また、制御手段４では、上記成形条件設定項目での読み出した上記設定許容範囲と、作業員のタッチ操作にて上記設定器７の設定値入力部１１に入力された成形条件設定値とを対比し、この設定許容範囲に、設定器７の設定値入力部１１に入力された成形条件設定値が入っているか否かを判定するように設けられている。
【００４４】
そして上記判定の結果、作業員が設定器７にて入力した上記成形条件設定値が上記設定許容範囲に入ったときには、その入力された成形条件設定値を記憶手段３の成形条件設定値記憶部１２における成形条件設定項目での設定値として記憶されるとともに、表示画面５の成形条件設定値表示部６における表示部８にその成形条件設定値が表示され、この設定値が射出成形機Ａの運転に反映されるようにしている。
【００４５】
一方、判定の結果、作業員が設定器７にて入力した上記成形条件設定値が上記設定許容範囲に入らないときには、その成形条件設定値を記憶手段３の成形条件設定値記憶部１２における成形条件設定項目での設定値としての記憶動作を、または設定器７に設定値として入力された入力値を記憶する記憶動作を、記憶手段３に対して行なわせずに、その記憶動作を中止するように設けられている。
【００４６】
（警告手段）
制御手段４は、上述のように上記設定許容範囲に入らない成形条件設定値の入力操作を作業員が設定器７にて行ったときに、入力操作した設定値（入力値）が設定許容範囲外であることを作業者に伝えるべく警告を発する警告動作を、上記警告手段１８に行なわせるように制御する役割をも有する。警告手段１８としては、この成形条件設定値入力装置１の外枠などに取り付けられて入力作業をする作業者から見易い位置に配した発光装置や発音装置などから構成することが可能である。また上記表示手段２の表示画面５上でアラーム表示をするように表示手段２の表示動作を制御手段４が制御して、表示手段２に警告手段１８を兼ねさせる構成とすることも可能である。
【００４７】
（制御手段の設定値判定時の動作）
なお、上述したように制御手段４は、設定器７の設定値入力部１１に入力された成形条件設定値が上記設定許容範囲に入っているか否かを判定し、設定許容範囲に入らないときに、成形条件設定値記憶部１２に設定値として記憶する記憶動作、または設定器７に設定値として入力された入力値を記憶する記憶動作を、記憶手段３に対して行なわせないものとしたが、設定器７に入力した設定値が、或る条件の下で設定されている限定した範囲と比較して、その範囲から外れているときでも、前記設定値を成形条件設定値記憶部１２へ記憶する記憶動作や、設定器７に設定値として入力された入力値を記憶する記憶動作を、記憶手段３に行なわせて、前記設定値が射出成形機Ａの運転に反映させるようにする場合（相対値設定で限定された範囲で設定値を入力する場合）もあり、この点については後述する。
【００４８】
そして、設定器７に入力した設定値が、或る条件の下で設定されている限定した範囲と比較して、その範囲から外れているときで、設定値を成形条件設定値記憶部１２へ記憶する記憶動作や、設定器７に設定値として入力された入力値を記憶する記憶動作を、記憶手段３に行なわせる上述の場合、上記警告手段１８の警告動作が非動作となるように制御手段４がこの警告手段１８を制御するものとされている。
【００４９】
（成形条件設定値入力装置による設定例）
表示手段２と記憶手段３と制御手段４と警告手段１８とを備えてなる上記成形条件設定値入力装置１による設定例について、成形条件設定項目を射出成形機Ａの型開に係る設定値を例として説明すれば、まず、予め記憶手段３での成形機外情報記憶部１３に、使用する金型やエジェクト（突き出し）の動作切り換え位置などに基づきながら射出成形機の動作に対して設定する成形機外情報を入力する。
【００５０】
図４は、上記成形機外情報を入力するために型・突き出し設定範囲限定用設定器１５の画面構成が上記表示手段２において表示されている状態を示している。このように表示手段２で型・突き出し設定範囲限定用設定器１５の画面を呼び出すことで、この型・突き出し設定範囲限定用設定器１５での型開停止位置（成形条件設定項目）の最小値入力部１６や最大値入力部１７が表示され、使用し得る金型ごとにこれらの入力部１６、１７に数値を入力しておく。図４で示す型・突き出し設定範囲限定用設定器１５では、射出成形機Ａでの他の部位についても最小値入力部、最大値入力部が示されており、これらの入力部についても成形機外情報を入力しておく。
【００５１】
なお、成形機外情報を入力する場合は上記型・突き出し設定範囲限定用設定器１５だけから入力するものではなく、その他に、例えば射出・加熱筒温度設定範囲限定用設定器、加熱筒温度アラーム設定範囲限定用設定器などもあり、使用し得る周辺機器ごとの成形機外情報や使用し得る成形材料ごとの成形機外情報を、これらの設定範囲限定用設定器も用いて事前に入力する。そしてこれらの成形機外情報は、入力された情報と対応付けされる金型番号や成形素材番号などの成形機外情報管理情報をも含むものとされており、成形機外情報における金型番号や成形素材番号の成形機外情報管理情報を特定することで、これらに関連付けられている情報（設定範囲限定用設定器を用いて入力された情報）が特定されるように設けられている。
【００５２】
上記型・突き出し設定範囲限定用設定器１５を用いて入力された成形機外情報は、上記制御手段４により記憶手段３の上記成形機外情報記録部１３に書き込まれて記憶される。さらに制御手段４は成形機外情報記憶部１３に記憶されている成形機外情報を成形条件設定項目ごとに関連付ける処理を行ない、記憶手段３に対して、設定許容範囲記憶部１４で、成形機外情報に基づいて成形条件設定項目における成形条件の設定許容範囲を記憶する。このため、射出成形機Ａを運転するときに使用する成形条件設定値入力装置１では、成形条件設定項目における成形条件の設定許容範囲を、予め設定された状態で有するものとなっている。
【００５３】
作業員が成形条件を変更するために、型開停止位置に係る成形条件設定項目の設定値（成形条件設定値）を新たに設定する場合は、上記成形条件設定値入力装置１を用いて、図３に示すように型開停止位置に係る成形条件設定項目がある成形条件設定値表示部６を表示画面５に表示させるようにする。
【００５４】
なお、図５においては、金型交換前の成形機外情報が反映されていた成形条件設定値入力装置１での型開停止位置に係る成形条件設定項目がある成形条件設定値表示部６が表示画面５に表示され、設定器７においても許容範囲表示部１０には前情報である成形機外情報が反映している状態を示している。そして、金型交換に際し、上述したようにその金型の成形条件に基づいて設定されていた成形機外情報が、制御手段４によって成形機外情報記憶部１３から読み出され、さらに設定許容範囲記憶部１４に記憶されているので、作業員が、成形条件設定値入力装置１での型開停止位置に係る成形条件設定項目がある成形条件設定値表示部６を表示画面５に表示させ、成形条件設定値表示部６の部分をタッチすることで、同一の表示画面５上に形成される設定器７では、図３に示すように許容範囲表示部１０には、記憶手段３の設定許容範囲記憶部１４から読み出された設定許容範囲（上記型・突き出し設定範囲限定用設定器１５を用いて入力された型開停止位置での最小値入力部１６や最大値入力部１７に入力された数値に基づく許容範囲）が表示されることとなる。
【００５５】
作業員は、射出成形機Ａに取り付けられている現在の金型の成形機外情報に基づいて設定された型開停止位置の許容範囲が設定器７に表示されているので、その表示されている設定許容範囲を参考にしながら、変更する設定値を入力操作することになる。
【００５６】
本成形条件設定値入力装置１では、上記記憶手段３の成形機外情報記憶部１３における成形機外情報は複数記憶されている。そして、成形条件設定値入力装置１の使用に際して、金型が変更された場合の変更後の金型に係る成形機外情報を特定すると、制御手段４は、記憶手段３に、特定された成形機外情報に基づいて予め設定されている成形条件設定項目における成形条件の設定許容範囲を上記設定許容範囲記憶部１４に記憶させるように設けられている。成形機外情報の前記特定に関しては、例えば上述した金型番号や成形素材番号などの成形機外情報管理情報を、この成形条件設定値入力装置１に入力することで行なえるものである。
【００５７】
（設定許容範囲の限定機能）
本成形条件設定値入力装置１では、上述のようにして設定値が定められて運転される射出成形機に対し、前記設定値を調整する目的で変更することができるようにしている。そして、射出成形機の自動運転中に、現在の設定値を変更する場合に、その現在の設定値から急激に大きな変更とならないように、設定値を変更できる設定許容範囲を現在の設定値からの相対値（相対値について後述）でさらに限定できるようにしたり、また、成形品の成形前の調整運転などでの射出成形機の手動運転時に、設定許容範囲を狭くすべく上位限界値と下位限界値を絶対値（絶対値について後述）にして限定できるようにしている。
【００５８】
さらに、本成形条件設定値入力装置１では、設定許容範囲に対する上記限定について、射出成形機の自動運転中に有効とするか無効とするかの選択と、手動運転中に有効とするか無効とするかの選択とが行なえる機能を有している。
【００５９】
（設定許容範囲限定時の絶対値設定、相対値設定）
設定許容範囲が限定されている状態で、設定値を調整する目的で設定値を変更する場合、作業員は、本成形条件設定値入力装置１において前記設定値に係る成形条件設定項目が示される成形条件設定表示部６を表示させ、その成形条件設定表示部６をタッチすることで表示される設定器７から前記設定値を設定することとなる。
【００６０】
本成形条件設定値入力装置１は、射出成形機Ａの自動運転中であって設定許容範囲の限定について有効の状態であれば、制御手段４が、設定器７の上記許容範囲表示部１０にて設定許容範囲（限定された範囲）を表示させるように表示手段２を制御する。そして、この場合の設定許容範囲は、上述したように現在の設定値から急激に大きな変更とならないように現在の設定値に対する相対値による±範囲で表示するように設けられている。
【００６１】
また、射出成形機Ａの手動運転時であって設定許容範囲の限定について有効の状態であれば、制御手段４が、設定器７の許容範囲表示部１０にて前記設定許容範囲を表示させるように表示手段２を制御する。そして、この場合の設定許容範囲は、上述したように上位限界値と下位限界値を絶対値にして表示するように設けられている。
【００６２】
このように本成形条件設定値入力装置１では、設定許容範囲（限定された範囲）の表示方法には、機械仕様の使用可能範囲に基づく条件の下で下位限界値と上位限界値とを絶対値で設定する絶対値設定の下での表示（手動運転時）と、自動運転中の射出成形機について設定されている現在の設定値を基準値として下位限界値と上位限界値とを相対値で設定する相対値設定の下での表示とがある。図６では設定器７の許容範囲表示部１０に設定許容範囲（限定された範囲）が表示されている状態を示しており、作業員は表示された設定許容範囲内で、設定値を入力することができるようにしている。
【００６３】
なお、設定許容範囲の上記限定において、射出成形機の自動運転での相対値設定を説明し、また手動運転での絶対値設定を説明しているが、実施の形態における一例を挙げたものであって、相対値設定と絶対値設定との選択が任意に可能であり、本発明はこの実施の形態に限られるものではない。
【００６４】
上記図６に挙げられた例を、相対値設定の場合と絶対値設定の場合とで説明する。この図６において、型開停止位置に関しての設定器７の許容範囲表示部１０に設定許容範囲が１７５．０−１８５．０ｍｍと表示されており、絶対値設定の下で限定されている場合、下位限界値を１７５．０ｍｍに、上位限界値を１８５．０ｍｍに設定することで前記設定許容範囲が表示されたものとなる。また、相対値設定の下で限定されている場合、下位限界値を５．０ｍｍに、上位限界値を５．０ｍｍに設定することで設定許容範囲が表示されたものとなる。
【００６５】
（設定許容範囲記憶部と相対値設定、絶対値設定）
上記記憶手段３の設定許容範囲記憶部１４は、上述したように成形機外情報に基づいて成形条件設定項目の成形条件の設定許容範囲を記憶する部分として説明しているが、この設定許容範囲記憶部１４は、射出成形機の機械仕様に基づいて固有とされている成形条件の設定許容範囲や設定値の入力操作を行なう作業者（入力操作者）個々に対応して固有とされている成形条件の設定許容範囲が記憶される部分でもあり、前記機械仕様に基づく固有の成形条件の設定許容範囲や作業者個々に対応付けられている固有の成形条件の設定許容範囲からなる固有の設定許容範囲が、この設定許容範囲記憶部１４に予め読み出し可能に記憶されている。そして、前記固有の設定許容範囲に対して範囲限定する設定が可能とされているものである。
【００６６】
そして設定許容範囲記憶部１４から上記固有の設定許容範囲が読み出される状態であって、その設定許容範囲を限定するときに、限定する範囲の設定については、上記固有の設定許容範囲内での現設定値に対する相対値で設定する相対値設定と、上記成形機外情報に基づいた成形条件の設定許容範囲内で絶対値で設定する絶対値設定との選択が可能とされている。
【００６７】
射出成形機Ａの運転中でその射出成形機Ａの状態や成形品の状態を確認しながら設定器７の設定値入力部１１に少しずつ設定値を変更しながら入力を繰り返す作業もある。このような場合、設定許容範囲を限定する設定を上記固有の設定許容範囲内で相対値設定としている状態の下で設定値を定めることが有利である。そして、この相対値設定については、例えば射出成形機Ａや周辺装置の動作に対する理解度が深く、また成形材料に対する理解度も深い熟達した作業者が、前記相対値設定の下で設定値を調整する上で便利である。
【００６８】
そこで本成形条件設定値入力装置１では、設定許容範囲記憶部１４から固有の設定許容範囲が読み出しできるときの相対値設定で範囲を定めるときに、上記絶対値設定をした場合に既設定として設定した限定範囲を超えることを許容している。そして、上記制御手段４は、相対値設定による設定許容範囲内で設定器７に入力された設定値が、絶対値設定をした場合での設定許容範囲を外れたときに、警告手段１８の警告動作を非動作にする制御を行なうように設けられている。さらに設定器７に入力された前記設定値の記憶手段３の成形条件設定値記憶部１２への記憶動作や設定器７に前記設定値として入力された入力値を記憶する記憶動作を、記憶手段３に行なわせるように制御する。
【００６９】
なお、上述した設定許容範囲記憶部１４から固有の設定許容範囲が読み出される状態で相対値設定と絶対値設定との選択や、その相対値設定や絶対値設定での限定する範囲設定、そして上記設定値などの入力操作に際しては、この入力操作を行なう作業者を後述するように限定することが好ましい。
【００７０】
（絶対値設定と相対値設定との例）
図７は上記設定許容範囲記憶部１４から上記固有の設定許容範囲が読み出し可能な場合であって、範囲限定に際しての絶対値設定と相対値設定との例を示していて、図７（ａ）は成形条件設定値入力装置１において、成形条件設定項目を加熱筒の温度に関するものとした成形条件設定値表示部６が表示画面５を示しており、図７（ｂ）は加熱筒の温度（中部の位置の温度）の許容範囲限定を相対値設定とした場合の設定器７を示し、図７（ｃ）は加熱筒の温度（中部の位置の温度）の許容範囲限定を絶対値設定とした場合の設定器７を示している図である。
【００７１】
図７（ｂ）は上述のように加熱筒の温度に関して許容範囲限定を相対値設定とした場合の例を示しており、現在の加熱筒の温度の設定値が２００℃であって、この現在の設定値を基準値として±５℃範囲にして、下位限界値を１９５℃とし、上位限界値を２０５℃として設定器７の許容範囲表示部１０に表示させている。相対値設定は現在の設定値から急激に大きな変更ができないようにする目的で使用する上でも便利である。
【００７２】
図７（ｃ）は上述のように加熱筒の温度に関して許容範囲限定を絶対値設定とした場合の例を示しており、現在の加熱筒の温度（中部の位置の温度）の設定値が２００℃であるが、この現在の設定値を変更しようとする際、成形材料仕様の温度範囲内に限定する目的で使用することができる。この図示の例では、下位限界値を１８５℃とし、上位限界値を２５５℃として設定器７の許容範囲表示部１０に表示させている。
【００７３】
成形材料仕様の温度範囲において、下位限界値が１８５℃であり、また上位限界値が２５５℃である点は、上記記憶手段３での設定許容範囲記憶部１４に、成形条件設定項目の成形材料に関連して予め記憶されている数値があり、絶対値設定の状態で、成形条件設定項目を加熱筒の温度（中部の位置の温度）に係る成形条件設定値表示部６に作業員がタッチした時に、制御手段４が記憶手段３の設定許容範囲記憶部１４から前記下位限界値と上位限界値とを読み出し、表示手段３が設定器７の許容範囲表示部１０に前記下位限界値と上位限界値とを表示する動作をするように、制御手段４が表示手段３を制御するものとされている。
【００７４】
（入力操作者限定）
成形条件設定値入力装置１を用いて各種の制限値を入力操作（後述の設定範囲限定用設定器を用いた制限値の入力操作）する作業者に関しては、制限値の入力操作について熟達した者ばかりでなく、その入力操作の経験が不足している者も存在する場合がある。そこで成形条件設定値入力装置１に各種の制限値を入力するときにパスワードの入力が必要となるようにして、作業者に応じて制限値の入力を限定することが、不適切な入力操作を防止する上で有効である。
【００７５】
そして成形条件設定値入力装置１にあっては入力操作者を限定する操作者限定機能を備えており、成形条件設定値入力装置１の記憶手段３における成形機外情報記憶部１３に上述した型・突き出し設定範囲限定用設定器１５や射出・加熱筒温度設定範囲限定用設定器、加熱筒温度アラーム設定範囲限定用設定器などの限定用設定器に、金型の型やエジェクタの動作切り換え位置、成形材料の溶融温度などの成形機外条件に基づいて制限値となる数値を予め入力する操作があるが、表示手段２に設定範囲限定用設定器が表示される前に、パスワードの入力を求めるメッセージを表示させて、正規のパスワードが入力されるか否かを問う形で作業者（入力操作者）の本人認証を行ない、正規のパスワードの入力を受け付けることで、各設定範囲限定用設定器を表示して成形機外情報とする制限値の数値入力の操作が行なえるように設けられている。
【００７６】
勿論、パスワードの入力を求めて作業者を限定する点は、設定範囲限定用設定器による入力の時点に限定されるものではない。また、表示手段２が表示している画面に対してタッチ操作して各種の設定を行なう資格が得られている者か否かを問う操作者限定機能として、パスワードの入力による本人認証を行なう例を示したが、本人認証としては、パスワードの入力を行なわせる方式の外、この成形条件設定値入力装置１が作業者それぞれが所持するＩＣカードなどから認証コードを前記カード読み取り機器に読み取らせて、設定を行なう資格を得ている者であることの本人認証を行なう方式としたり、作業者の指紋などによる生体特徴にて本人認証を行なう方式とすることも可能であり、認証の方法は限定されないものである。
【符号の説明】
【００７７】
１…成形条件設定値入力装置
２…表示手段
３…記憶手段
４…制御手段
５…表示画面
６…成形条件設定値表示部
７…設定器
８…成形条件設定項目下の表示部
９…項目名表示部
１０…許容範囲表示部
１１…設定値入力部
１２…成形条件設定値記憶部
１３…成形機外情報記憶部
１４…設定許容範囲記憶部
１５…型・突き出し設定範囲限定用設定器
１８…警告手段
【図１】
2020124829.tif 000003
【図２】
2020124829.tif 000004
【図３】
2020124829.tif 000005
【図４】
2020124829.tif 000006
【図５】
2020124829.tif 000007
【図６】
2020124829.tif 000008
【図７】
2020124829.tif 000009